(57)【要約】【課題】  画像形成装置を使用しているユーザーが操作パネルの画面色を反転して表示していたり、表示言語を切替えて表示していた場合は、エラー画面も表示設定は同様となる。その為、管理者、サービスマン等、使用ユーザー以外がメンテナンスを行う際は作業が困難なものとなる。【解決手段】  エラー画面に画面色を反転する手段および表示言語を切り替える手段を表示することで一時的に画面表示を切替え、メンテナンス終了時にもとの画面設定に戻す。【選択図】  図５
2013131875.tif 000002
【特許請求の範囲】
【請求項１】
紙詰まりやエラーが発生した際に、ユーザーに対し警告すると共に、紙詰まり/エラーを解除する為の手順を示すエラー画面を表示するエラー画面表示手段（６０１）と、
画面反転表示中に、紙詰まり/エラー画面が表示された際に、通常画面色表示に切り替える手段を表示する画面色反転手段表示（Ｓ０５０４、６０１、６０２）と、
紙詰まり/エラー画面が表示された際に、画面に表示する言語を切り替える手段を表示する表示言語切替手段表示（Ｓ０５０４、６０１、６０２）と、
前記表示された画面色反転手段押下時に操作パネルの画面色を反転させる画面色反転手段（Ｓ０５０６、６０１、６０２）と、
前記表示言語切替手段によって表示された切替手段押下時に操作パネルの表示言語を切り替える表示言語切替手段（Ｓ０５０８、６０１、６０２）と、
紙詰まり/エラーの解除処理が終了した際に前記エラー画面を閉じると共に、画面色および表示言語をエラー画面表示前の設定に戻す手段（Ｓ０５１２、Ｓ０５１４）と、
を有することを特徴とする画像形成装置（２０５）。
【請求項２】
前記画面色反転手段表示、表示言語切替手段表示において、画面色を反転した手段と通常表示色の手段両方を表示する表示手段（Ｓ０７０４、８０１）
を有することを特徴とする請求項１に記載の画像形成装置（２０５）。
【請求項３】
予めエラー画面の表示時間を設定する、エラー画面表示時間設定手段（９０１）と、
画面反転表示中に紙詰まり/エラー画面が表示された際に、前記エラー画面表示時間設定で設定された時間の間、何も操作されなかった際に、紙詰まり/エラー画面の画面色を通常画面表示に動的に切り替える画面色反転手段（Ｓ１００６）と、
を有することを特徴とする請求項1に記載の画像形成装置（２０５）。
【請求項４】
表示言語の切り替えを有効にするか否かの設定を行う、表示言語切替設定手段（１１０１）と、
前記表示言語切替設定手段の結果、設定が有効化された際は、エラー画面に画面色反転手段と表示言語切替手段の両方を表示する表示手段（Ｓ１２０５、１３０１）と、
前記表示言語切替設定手段の結果、設定が無効化された際は、エラー画面に画面色反転手段を表示する表示手段（Ｓ１２０９、１３０２）と、
を有することを特徴とする請求項1に記載の画像形成装置（２０５）。
【発明の詳細な説明】
【技術分野】
【０００１】
本発明は、画像形成装置において、操作パネル画面色反転表示や表示言語の切替え表示を行っている際に、特定の画面で画面色や表示言語を切替える為の制御に関するものである。
【背景技術】
【０００２】
画像形成装置においては、通常の表示色では見づらい人の為に操作パネルの画面色を反転して表示する機能が用意されている。また同じ画像形成装置を使用言語が異なる複数人が共有して使用することを考慮し、操作パネルの表示言語を切替える機能も用意されている。これらの機能はそれぞれ専用の設定画面で設定を行うことで使用可能となっている。
【０００３】
画面色の反転を行うものとして、特許文献１では、ユーザーが操作部を介して不適正な操作を行った際に、表示部の文字色および背景色の反転を繰り返すことにより、ユーザーの視覚または触覚に訴えている。
【先行技術文献】
【特許文献】
【０００４】
【特許文献１】特開２００２−１６２８６８号公報
【発明の概要】
【発明が解決しようとする課題】
【０００５】
画像形成装置においては、紙詰まりやエラーが発生した際は、紙詰まりやエラーが発生していることをユーザーに対し伝える為の警告画面の表示を行っている。その際、使用しているユーザーが操作パネルの画面色を反転して表示していたり、表示言語を切替えて表示していた場合は、警告画面も同様に画面色が反転表示され、表示言語も切替えて表示される。すぐに解除可能な紙詰まりやエラーであれば、使用者がそのままメンテナンスを行うことになるが、内容によっては必ずしも画像形成装置を使用していた本人がメンテナンスを行うとは限らない。管理者、サービスマン、他のユーザー等に作業を依頼するケースがある。
【０００６】
その際もともと使用していたユーザーが操作部の画面色を反転させて表示していたり、表示言語を切替えて表示していた場合は、実際にメンテナンスを行う作業者にとっては作業が困難なものとなる。
【課題を解決するための手段】
【０００７】
紙詰まりやエラーが発生した際に、ユーザーに対し警告すると共に、紙詰まり/エラーを解除する為の手順を示すエラー画面を表示するエラー画面表示手段（６０１）と、
画面反転表示中に、紙詰まり/エラー画面が表示された際に、通常画面色表示に切り替える手段を表示する画面色反転手段表示（Ｓ０５０４、６０１、６０２）と、
紙詰まり/エラー画面が表示された際に、画面に表示する言語を切り替える手段を表示する表示言語切替手段表示（Ｓ０５０４、６０１、６０２）と、
前記表示された画面色反転手段押下時に操作パネルの画面色を反転させる画面色反転手段（Ｓ０５０６、６０１、６０２）と、
前記表示言語切替手段によって表示された切替手段押下時に操作パネルの表示言語を切り替える表示言語切替手段（Ｓ０５０８、６０１、６０２）と、
紙詰まり/エラーの解除処理が終了した際に前記エラー画面を閉じると共に、画面色および表示言語をエラー画面表示前の設定に戻す手段（Ｓ０５１２、Ｓ０５１４）と、
を有することを特徴とした画像形成装置（２０５）。
【発明の効果】
【０００８】
ユーザーが画像形成装置の画面色や表示言語を切替えて使用している際に発生した紙詰まりやエラーに対して、実際にメンテナンスを行う作業者がエラー画面を確認することが容易となると共に、作業終了後は即座にユーザーの使用環境に戻すことが可能。
【図面の簡単な説明】
【０００９】
【図１】画像形成装置の実施形態の構成を示すブロック図である。
【図２】操作部の模式図である。
【図３】タッチパネル部３０１の一例を示す図である。
【図４】画面色反転設定画面の一例を示す図である。
【図５】画面色反転表示中にエラーが発生した際の流れの例を示す図である。
【図６】図５の流れで表示されるエラー画面の一例を示す図である。
【図７】画面色反転手段と言語切替手段を通常色／反転色両方表示する流れの例を示す図である。
【図８】エラー画面中の画面色反転手段と言語切替手段を、通常色／反転色両方で表示した画面の例を示す図である。
【図９】画面色反転表示時のエラー画面表示時間を設定する為の設定画面の例を示す図である。
【図１０】画面色反転状態でエラー画面が表示中に一定時間何も操作が行われなかった場合の流れの例を示す図である。
【図１１】表示言語切替を行うか否かを設定する為の設定画面の例を示す図である。
【図１２】表示言語切替設定に応じたエラー画面表示の流れの例を示す図である。
【図１３】図１２の流れで表示されるエラー画面の一例を示す図である。
【発明を実施するための形態】
【００１０】
以下、本発明を実施するための最良の形態について図面を用いて説明する。
【００１１】
図１は本発明におけるデバイスの実施形態の構成を示すブロック図である。なお、本実施の形態では、コピー機能、プリント機能、ファクシミリ機能を有するデジタル複写機からなるデバイスを例に説明する。
【００１２】
デバイスは、図１に示すように、画像入力デバイスであるスキャナ０１７０および画像出力デバイスであるプリンタ０１９５が接続されるとともに、ＬＡＮ０１１１および公衆回線（ＷＡＮ）０１５１が接続され、コピー機能、ＬＡＮ０１１１を介して外部から供給されるデータをプリント出力するプリンタ機能、公衆回線（ＷＡＮ）０１５１を介したファクシミリ機能を含む通信機能を有する複合装置からなり、該複合装置は、装置全体の制御を行うとともに、画像情報やデバイス情報の入出力に関する制御を行うコントローラユニット０１００を備える。
【００１３】
コントローラユニット０１００は、ＲＯＭ０１０３に格納されているブートプログラムに基づきシステムを起動し、このシステム上でＨＤＤ（ハードディスク装置）０１０４に格納されている各種制御プログラムを読み出してＲＡＭ０１０２をワークエリアとして所定の処理を実行するＣＰＵ０１０１を有する。ＨＤＤ０１０４には、上記各種プログラムが格納されるとともに、画像データが格納される。
【００１４】
ＣＰＵ０１０１には、ＲＡＭ０１０２、ＲＯＭ０１０３、ＨＤＤ０１０４とともに、操作部Ｉ／Ｆ（操作部インタフェース）０１０６、ＬＡＮＩ／Ｆ（ＬＡＮインタフェース）０１１０、モデム０１５０、イメージバスＩ／Ｆ（イメージバスインタフェース）０１０５がシステムバス０１０７を介して接続されている。
【００１５】
操作部Ｉ／Ｆ０１０６は、操作部０１１２とのインタフェースであって、操作部０１１２に表示する画像データの操作部０１１２への転送、操作部０１１２における操作入力により発生した信号のＣＰＵ０１０１への転送などを行う。操作部０１１２は、画像形成に関する各機能における現在の設定状態、各機能に関する設定情報を入力するための情報入力画面などを表示するための表示部、各機能に対する設定情報を入力するキーなどを含む入力部などを有する。
【００１６】
ＬＡＮＩ／Ｆ０１１０は、ＬＡＮ０１１１に接続され、ＬＡＮ０１１１を介した情報の入出力を行う。モデム０１５０は、公衆回線（ＷＡＮ）０１５１に接続され、公衆回線０１５１を介した情報の入出力を行う。イメージバスＩ／Ｆ０１０５は、画像バス０１０８とシステムバス０１０７とを接続し、データ構造を変換するするバスブリッジからなる。画像バス０１０８は、画像データを高速で転送可能なＰＣＩバスまたはＩＥＥＥ１３９４規格に従うバスから構成される。
【００１７】
画像バス０１０８には、ＲＩＰ（ラスタイメージプロセッサ）０１６０、デバイスＩ／Ｆ（デバイスインタフェース）０１２０、スキャナ画像処理部０１８０、プリンタ画像処理部０１９０、画像回転部０１３０および画像圧縮部０１４０が接続されている。
【００１８】
ＲＩＰ０１６０は、ＰＤＬコードをビットマップイメージに展開する。デバイスＩ／Ｆ０１２０は、画像入出力デバイスであるスキャナ０１７０やプリンタ０１９５とコントローラユニット０１００とを接続し、画像データの同期系/非同期系の変換を行う。スキャナ画像処理部０１８０は、入力画像データに対し補正、加工、編集を行う。プリンタ画像処理部０１９０は、プリント出力画像データに対して、プリンタの補正、解像度変換などを行う。画像回転部０１３０は画像データの回転処理を行う。画像圧縮部０１４０は、多値画像データに対してはＪＰＥＧ、二値画像データに対してＪＢＩＧ、ＭＭＲ、ＭＨの圧縮伸張処理を行う。
【００１９】
このように、コントローラユニット０１００のＣＰＵ０１０１は、各制御プログラムに基づきシステムバス０１０７に接続される各種デバイスとのアクセスを総括的に制御するとともに、デバイスＩ／Ｆ０１２０を介してスキャナ０１７０から画像情報を読み込み、読み込んだ画像情報に対して所定の  処理を施した後に該画像情報をデバイスＩ／Ｆ０１２０を介してプリンタ０１９５に出力するなどの制御を行う。
【００２０】
次に、図２は画像形成装置２０５の操作部０１１２の一例を示す図であり、キー入力部２０２とタッチパネル部２０１からなっている。また、図３はタッチパネル部２０１の詳細を示す模式図である。以下に詳細を説明する。
【００２１】
図３ではタッチパネル部２０１に表示される画面３０１の一例を説明する。タッチパネル部２０１は、ＬＣＤ（Liquid Crystal Display：液晶表示部）表示器とその上に貼られた透明電極からなるタッチパネルディスプレイを有する。そして、ＬＣＤに表示されるキー相当の部分の透明電極を指で触れると、それを検知して別の操作画面を表示するなどの処理を実行するよう予めプログラムされている。
【００２２】
図３において、コピーアイコン３０２は、コピー動作の操作画面に遷移する為のアイコンである。送信アイコン３０３は、ファックスやＥ−ｍａｉｌ送信など送信（ｓｅｎｄ）動作を指示する操作画面に遷移する為のアイコンである。保存アイコン３０４は、ジョブを格納する記憶手段にジョブを入出力操作する為の操作画面に遷移する為のアイコンである。上記アイコン３０２〜３０４のいずれかを選択することで、それぞれの操作モードの画面に遷移することができる。
【００２３】
(実施例１)
図４は画像形成装置のユーザーがタッチパネル部２０１の画面色を反転表示させる際の設定画面の一例を示す。操作部０１１２のキー入力部２０２中の設定キー２０４を押下することで各種設定画面に遷移する。該各種設定画面中の設定項目から画面色反転設定用の項目を選択することで画面４０１が表示される。画面色反転設定画面４０１では画面色の反転を有効にするＯＮボタン４０２と無効にするＯＦＦボタン４０３があり、ＯＫボタン４０５を押下することで設定が反映され、キャンセルボタン４０４を押下すると設定が破棄される。画面色反転としてはＲＧＢ反転等があるがこれに限定しない。
【００２４】
図５は本発明における、画像形成装置の画面色反転表示中にエラーが発生した際の流れの例を示す図である。
【００２５】
まずＳ０５０１で画像形成装置にエラーが発生したか否かの判断が行われ、エラーが発生していないと判断された際はＳ０５０１の処理を繰り返す。Ｓ０５０１でエラーが発生したと判断された際は、Ｓ０５０２でその時点の画面色が反転表示中か否かの判断が行われる。Ｓ０５０２で画面色が反転表示中であると判断された際は、Ｓ０５０３において画像形成装置２０５で切替可能な言語情報の取得が行われる。
【００２６】
次にＳ０５０４でエラー画面が表示される。ここで表示されるエラー画面の一例を図６に示す。画面６０１のように画面色が反転表示され、表示言語切替手段６０３、画面色反転手段６０４が表示される。
【００２７】
Ｓ０５０４でエラー画面が表示された後、Ｓ０５０５で、画面色反転手段６０４で設定が変更されたか否かの判断が行われ、変更されたと判断された際はＳ０５０６で画面６０２のように画面色反転が行われ、Ｓ０５０７の処理に進む。ここで、画面色反転手段６０４で設定が変更されていないと判断された際は、Ｓ０５０７の処理に進む。
【００２８】
Ｓ０５０７では表示言語切替手段６０３で表示言語の切替が行われたか否かの判断が行われ、切替が行われたと判断された際はＳ０５０８で画面６０２のように表示言語の切替が行われＳ０５０９の処理に進む。ここで、表示言語切替手段６０３で表示言語の切替が行われなかったと判断された際は、Ｓ０５０９の処理に進む。
【００２９】
次にＳ０５０９においてエラーが解除されたか否かの判断が行われる。エラーが解除されていないと判断された際はＳ０５０５の処理に戻り、エラーが解除されたと判断された際は、Ｓ０５１０に進みエラー画面がクローズされる。
【００３０】
Ｓ０５１０でエラー画面がクローズされた後、Ｓ０５１１でエラー画面表示中に画面色の変更が行われたか否かの判断が行われる。画面色の変更が行われたと判断された場合は、Ｓ０５１２においてその画面色の変更設定が解除されＳ０５１３の処理に進む。画面色の変更が行われていないと判断された際は、そのままＳ０５１３に進む。
【００３１】
Ｓ０５１３ではエラー画面表示中に表示言語が切替えられたか否かの判断が行われる。表示言語が切替えられたと判断された際は、Ｓ０５１４において表示言語が切替え前の言語に戻され処理を終了する。Ｓ０５１３の判断でエラー画面表示中に表示言語が切替えられていないと判断された際はそのまま処理を終了する。
【００３２】
また、Ｓ０５０２の判断において、画面色が反転表示中でないと判断された際は、Ｓ０５１５に進み、画像形成装置２０５で切替可能な言語情報の取得が行われる、次にＳ０５１６で表示言語切替手段を含むエラー画面の表示を行いＳ０５０９の処理に進む。
【００３３】
以上より、ユーザーが画面色反転設定や表示言語切替設定を行っている際にエラーが生した際もエラー画面の表示設定を変更することが出来る為、ユーザー以外のメンテナンス者の作業が容易となる。
【００３４】
(実施例２)
図７は本発明において、画面色反転手段と言語切替手段を通常色と反転色両方表示する際の流れの例を示す図である。
【００３５】
本処理は図５に示した流れと基本的に同じである為共通の部分に関してはここでは説明を省略する。図５のＳ０５０４の処理部分がＳ０７０４に変わっており、エラー画面中に、画面色反転手段と言語切替手段が通常色と反転色の両方で表示される。図８はエラー画面中に画面色反転手段と言語切替手段を、通常色と反転色の両方で表示した画面の例を示す図である。画面８０１は画面色反転中のエラー画面の例である。ここで、８０３、８０４、８０９、８１０は通常色で表示された画面色反転手段と言語切替手段であり、８０５、８０６、８０７、８０８は反転色で表示された画面色反転手段と言語切替手段である。
【００３６】
以上より、画面色反転表示中のエラー画面に画面色反転手段と言語切替手段を通常色と反転色両方表示することで、反転表示を行いたいユーザーと通常表示を行いたいユーザーの両者が容易に表示設定を変更することが可能となる。
【００３７】
(実施例３)
図９は画面色反転表示時のエラー画面表示時間を設定する為の設定画面の例を示す図である。画面９０１中の設定項目９０２において時間の設定が行われ、ＯＫボタン９０４で設定が反映され、キャンセルボタン９０３で設定が破棄される。画面色反転表示中にエラー画面が表示された際に、設定項目９０２で設定された時間の間、何も操作されなかった場合は、画面色が通常色表示に切り替えられる。
【００３８】
図１０は画面色が反転された状態でエラー画面が表示されている際に図９で設定された時間の間、何も操作が行われなかった場合の流れの例を示す図である。
【００３９】
まずＳ１００１でエラーが発生したか否かの判断が行われる。エラーが発生したと判断された際はＳ１００２の処理に進む。エラーが発生していないと判断された際は、Ｓ１００１の処理に戻る。
【００４０】
次にＳ１００２でエラー発生時に、画面色が反転表示されているか否かの判断が行われる。画面色が反転表示されていると判断された際は、Ｓ１００３の処理に進み、反転表示されていないと判断された際は、Ｓ１００７の処理に進む。
【００４１】
Ｓ１００３では画像形成装置で切替可能な言語の情報取得が行われ、Ｓ１００４でエラー画面の表示が行われる。ここで表示されるエラー画面には画面色反転手段と言語切替手段が表示される。
【００４２】
次にＳ１００５で、何も操作されないまま一定時間が経過したか否かの判断が行われる。ここで一定時間とは、図９の設定項目９０２で予め設定されていた時間を示す。
【００４３】
Ｓ１００５で何も操作されないまま一定時間が経過したと判断された際は、Ｓ１００６に進み画面色反転表示を解除し処理を終了する。一定時間が経過する前に操作が行われた際はそのまま処理を終了する。
【００４４】
Ｓ１００７では画像形成装置で切替可能な言語の情報取得が行われ、Ｓ１００８でエラー画面が表示され処理を終了する。ここで表示されるエラー画面には言語切替手段が表示される。
【００４５】
ここで、画像形成装置で切替可能な言語情報取得時（Ｓ１００３、Ｓ１００７）、他に切替可能な言語が存在しない場合は、エラー画面表示時に言語切替手段を非表示としても良い。
【００４６】
以上より、画面色反転表示中に発生したエラーにより表示されたエラー画面が、エラー解除されないまま放置された際も予め設定された時間経過後は通常色表示に戻る為、管理者や他のユーザーがエラー画面の放置に気が付きやすくなる。またエラー画面の閲覧も容易となる。
【００４７】
(実施例４)
図１１は表示言語切替を行うか否かを設定する為の設定画面の例を示す図である。
【００４８】
ＯＮボタン１１０２は表示言語切替を有効にすることを表し、ＯＦＦボタン１１０３は表示言語切替を無効にすることを表す。ＯＫボタン１１０５で設定が反映され、キャンセルボタン１１０４で設定が破棄される。
【００４９】
図１２は表示言語切替設定に応じたエラー画面表示の流れの例を示す図である。
【００５０】
まずＳ１２０１でエラーが発生したか否かの判断が行われる。エラーが発生したと判断された際はＳ１２０２の処理に進む。エラーが発生していないと判断された際はＳ１２０１の処理に戻る。
【００５１】
Ｓ１２０２では現在画面色反転表示を行っているか否かの判断が行われる。画面色反転表示を行っていると判断された際はＳ１２０３で設定画面１１０１の設定状態を確認し、表示言語切替設定が有効になっているか否かの判断が行われる。表示言語切替設定が有効になっていると判断された際は、Ｓ１２０４で画像形成装置で切替可能な言語情報の取得が行われ、Ｓ１２０５でエラー画面の表示が行われる。ここで表示されるエラー画面には画面色反転手段、言語切替手段が表示される（１３０１）。Ｓ１２０３において、表示言語切替設定が無効になっていると判断された際は、Ｓ１２０９に進みエラー画面が表示される。ここで表示されるエラー画面には画面色反転手段が表示されるが言語切替手段は表示されない（１３０２）。
【００５２】
Ｓ１２０２において、画面色反転が行われていないと判断された際は、Ｓ１２０６で設定画面１１０１の設定状態を確認し、表示言語切替設定が有効になっているか否かの判断が行われる。表示言語切替設定が有効になっていると判断された際は、Ｓ１２０７で画像形成装置で切替可能な言語情報の取得が行われ、Ｓ１２０８でエラー画面の表示が行われる。ここで表示されるエラー画面には言語切替手段が表示されるが画面色反転手段は表示されない（１３０３）。Ｓ１２０６において、表示言語切替設定が無効になっていると判断された際は、Ｓ１２１０に進みエラー画面が表示される。ここで表示されるエラー画面には画面色反転手段および言語切替手段は表示されない（１３０４）。
【００５３】
以上より、エラー発生時に画像形成装置の設定の確認を行う為、設定状況に応じて、画面色反転手段、言語切替手段の表示非表示を適切に切り替えることが可能となる。
【符号の説明】
【００５４】
０１７０  スキャナ
０１９５  プリンタ
【図１】
2013131875.tif 000003
【図２】
2013131875.tif 000004
【図３】
2013131875.tif 000005
【図４】
2013131875.tif 000006
【図５】
2013131875.tif 000007
【図６】
2013131875.tif 000008
【図７】
2013131875.tif 000009
【図８】
2013131875.tif 000010
【図９】
2013131875.tif 000011
【図１０】
2013131875.tif 000012
【図１１】
2013131875.tif 000013
【図１２】
2013131875.tif 000014
【図１３】
2013131875.tif 000015